(57)【特許請求の範囲】
【請求項１】
キャップが、容器口部に螺合する内キャップと、該内キャップに廻動自在に装着され、外周側に差込みキーを連設した外キャップとからなり、
差込みキーは、四角形の一辺を弧状に削り、両端を係合片とした板状体とし、
外キャップの頂壁中央部に差込みキーの差込み口を設け、
内キャップの上壁中央部に差込みキーの係止片が係合する係合溝を設けた環状底壁を連設した内筒を垂設し、
外キャップと内キャップを差込みキーを介して一体に廻動するようにし、
差込みキーの係止片が、薄肉の連結部を介して外キャップの外側に一体成形されていることを特徴とするキー差込み式キャップ。
【請求項２】
キャップが、容器口部に螺合する内キャップと、該内キャップに廻動自在に装着され、外周側に差込みキーを連設した外キャップとからなり、
差込みキーは、四角形の一辺を切り欠き、両端を係合片とした係支部を形成した板状体とし、
外キャップの頂壁中央部に差込みキーの差込み口を設け、
内キャップの上壁中央部に差込みキーの前記係止部が係合する切込み溝を設けた突出部を具えた底壁を連設した内筒を垂設し、
外キャップと内キャップを差込みキーを介して一体に廻動するようにし、
差込みキーの係止片が、薄肉の連結部を介して外キャップの外側に一体成形されていることを特徴とするキー差込み式キャップ。
【請求項３】
差込みキーが、二つの係合片の中間部上方に、保持孔が穿孔されていることを特徴とする請求項１または２記載のキー差込み式キャップ。
【請求項４】
ボトル胴部に、差込みキーの保持孔に係合する円形の突出部を設けた収納部が設けられていることを特徴とする請求項１または２記載のキー差込み式キャップ。
【発明の詳細な説明】
【０００１】
【発明の属する技術分野】
本発明は、容器のキャップとくにキー差込み式の二重キャップに関する。
【０００２】
【従来の技術】
従来のねじ式キャップは、キャップの内周に容器口部のねじに螺合するねじを螺設し、キャップを廻動することによって開蓋するようにしていた。
【０００３】
【発明が解決しようとする課題】
しかしながら、最近では、過剰包装を避けるために、キャップの上からフイルムによる包装をしないで店頭に陳列されることが多くなり、故意または過失によりキャップが開蓋されるという不正行為が行われることもあった。
また、家庭で使用中に、子どもがいたずらでキャップを開き、内容物を注出するということもあった。
【０００４】
本発明は、上記の事情を考慮して、店頭での陳列中に不正行為の有無を簡単に識別できるようにするとともに、使用中に簡単に開蓋できないようにしたキー差込み式のキャップを提供することを目的とする。
【０００５】
【課題を解決するための手段】
本発明は、上記の課題を解決するため、キー差込み式キャップとして、キャップが、容器口部に螺合する内キャップと、該内キャップに廻動自在に装着され、外周側に差込みキーを連設した外キャップとからなり、差込みキーは、四角形の一辺を弧状に削り、両端を係合片とした板状体とし、外キャップの頂壁中央部に差込みキーの差込み口を設け、内キャップの上壁中央部に差込みキーの係止片が係合する係合溝を設けた環状底壁を連設した内筒を垂設し、外キャップと内キャップを差込みキーを介して一体に廻動するようにし、差込みキーの係止片が、薄肉の連結部を介して外キャップの外側に一体成形されていることを特徴とする構成を採用する。
【０００６】
キー差込み式キャップの別実施形態として、キャップが、容器口部に螺合する内キャップと、該内キャップに廻動自在に装着され、外周側に差込みキーを連設した外キャップとからなり、差込みキーは、四角形の一辺を切り欠き、両端を係合片とした係支部を形成した板状体とし、外キャップの頂壁中央部に差込みキーの差込み口を設け、内キャップの上壁中央部に差込みキーの前記係止部が係合する切込み溝を設けた突出部を具えた底壁を連設した内筒を垂設し、外キャップと内キャップを差込みキーを介して一体に廻動するようにし、差込みキーの係止片が、薄肉の連結部を介して外キャップの外側に一体成形されていることを特徴とする構成を採用する。
【０００７】
差込キーの実施態様として、差込みキーが、二つの係合片の中間部上方に、保持孔が穿孔されていることを特徴とする構成を採用し、また、差込キーを保持するために、ボトル胴部に、差込みキーの保持孔に係合する円形の突出部を設けた収納部が設けられていることを特徴とする構成を採用する。
【０００８】
【発明の実施の形態】
次に、本発明の実施形態について、図面を参照して説明する。
図１において、Ａは容器、Ｂはキャップで、いずれも合成樹脂によって成形されており、容器には内容物として、薬液、洗滌液、化粧料などを収容することができる。
【０００９】
図１，２に示すように、容器Ａは、口部１と肩部２、胴部３と底部４とからなっており、口部１にはねじ５が螺設され、下端には段部６が設けられ肩部２に続いている。
【００１０】
胴部３は断面角形であり、一側面３ａには、後述する差込みキーの収納部７が設けられており、収納部７は、凹部８と円形の突出部９とから形成されている。
【００１１】
キャップＢは、内キャップ１０と外キャップ１１とからなっており、内キャップ１０は、側周壁１２と上壁１３とを具えている。
側周壁１２の内周には、口部１のねじ５に螺合するねじ１４が螺設されており、外周下端近くには、膨出環１５が設けられている。
【００１２】
図２に示すように、上壁１３は、外周の環状板１６と、該環状板１６の内周縁より垂下した内筒１７と、該内筒１７に連設され、中央にドーム状の突出部１８を設け、周辺に一対の係合溝１９ａ，ｂ、または等間隔に刻設された複数対の係合溝を設けた環状底壁２０とからなっている。
環状板１６の下面には、口部１の内周に係合する密封リング２１が設けられている。
【００１３】
外キャップ１１は、側周壁２２と頂壁２３とを有しており、側周壁２２の外周下端には、薄肉の連結部２４を介して板状の差込みキー２５が連設され、内周下端には、内キャップ内周の下端部に設けられた膨出環１５に係合する膨出環２６が設けられている。
差込みキー２５は、四角形の一辺を突出部１８の断面と同径の円弧、または楕円弧など弧形に削り取り、連結部２４を端部とした二本の係合片２７ａ，ｂと、その上方に穿孔された保持孔２８とを具えている。
【００１４】
外キャップ１１の頂壁２３には、差込みキー２５が挿入される差込み口２９が穿孔されており、差込みキー２５を挿入したときに、差込みキー２５の係合片２７ａ，ｂは係合溝１９に係合し、外キャップ１１と内キャップ１０が一体に廻動されるようになっている。
【００１５】
次に、本発明容器の使用態様と作用効果について説明する。
本発明の容器には、内容液が充填され、内キャップが被蓋され、その上から差込みキーを一体成形した外キャップが嵌挿されるだけで、過剰包装をさけ、商品として函詰め輸送される。
【００１６】
商品の店頭、陳列時には、外キャップを廻しても空廻りするだけで、内キャップは廻動しない。
また、差込みキーを外キャップから取り外したときには、直ちに識別できるので、不正行為の有無は簡単に知ることができる。
【００１７】
図３に示すように使用時には、差込みキー２５を外キャップ１１から取り外し、開蓋時には、外キャツプ１１の差込み口２９に挿入し、係合片２７と係合溝１９に係合するように差込みキー２５を廻動調整して係合させ、外キャップ１１を廻すと内キャップ１０も一体となって廻動し、キャップＢを取り外して容器口部１を開くことができる。
【００１８】
閉蓋時には、差込みキー２５を外キャップ１１の差込み口２９から外し、保持孔２８を突出部９に挿入して収納部７に保持させておくと邪魔にならず、また、紛失することもない。
そして、外キャップ１１を子どもがいたずらに廻しても空回りするだけでキャップＢが開くことはない。
【００１９】
次に、差込みキーと内キャップの別実施形態について説明する。
本実施形態は、前実施形態において、差込みキーの形状と内キャップのドーム状突出部の構造を変更したもので、同一の構成については符号に添字ａを付して説明を簡略にし、以下相違点について説明する。
【００２０】
図４に示すように、差込みキー３０は、四辺形の一辺に切込みをいれて、二つの係合片３１ａ，ｂと係止部３２を形成しており、係止部３２の対応して保持孔３３が穿孔されている。
形成時には、薄肉の連結部を介して外キャップ１１ａに連設され、一体成形している。
【００２１】
内キャップ１０ａの上壁１３ａは、前実施形態と同様に、環状板１６ａと中央にドーム状の突出部３４を設け、周辺に環状底壁３５を設けた底壁を連設した内筒１７ａとを具えている。
突出部３４には、切込み溝３６が刻設されており、環状底壁３５には、切込み溝３６に対応して一対の係合溝３７が刻設されている。
【００２２】
使用にあたって、差込みキー３０を外キャップの差込み口２９ａに挿入し、係止部３２が切込み溝３６に係合するように廻動調整させる。
係合したときには、差込みキー３０の係止部３２が切込み溝３６の底面まで押込まれ、係止片３１の先端が係合溝３７に係合して、外キャップとともに内キャップを廻動させることができ、前記実施形態と同様の作用効果を得ることができる。
また、上記実施形態において、切込み溝３６が一定の深さがある場合には、環状底壁３５の係合溝３７がなくてもよい。
【００２３】
前記各実施形態においては、胴部を角形にしたが、円形、または楕円形とし、差込みキーを胴部外形に合わせた湾曲板として、外キャップの差込み口、内キャップの環状凹部の係合溝、突出部の切込み溝の形状を湾曲面としてもよい。
【００２４】
また、前記各実施形態では、内キャップの内筒断面を円形とし、突出部を断面円形のドーム状の突出部としたが、内筒断面、突出部の断面は、円形に限定されない。
すなわち、突出部の形状が角形、楕円形であっても、第１実施形態の場合には、差込みキーの係合片の間隔が突出部の短径部と合致したときに、底壁の係合溝に嵌挿されるようにしてあればよく、別実施形態の場合には、突出部に設けた切込み溝に差込みキーの係合部が一致すればよい。
【００２５】
要するに、内筒の断面は、その最短径部が、差込みキーの巾、外キャップの差込み口の巾以上であればよく、内筒、突出部の形状については、実施形態のものに限定されない。
【００２６】
【発明の効果】
本発明は、上記のように構成されているから、次の効果を奏する。
差込みキーを挿入しない限り、外キャップを廻動しても内キャップを廻動できないようにしたから、子どものいたずら、不注意等によって容器口部を開くことをなくすことができる。
【００２７】
差込みキーを外キャップに薄肉の連結部を介して連設したから、店頭、陳列中に差込みキーが取り外されたときには、外から見ることができ、不正行為の有無を判別できる。
【００２８】
差込みキーを、容器胴部の収納部に保持させておくことができるので、紛失することはない。
【図面の簡単な説明】
【図１】本発明容器の正面図である。
【図２】キャップの説明図で、（ａ）はキャップの断面正面図、（ｂ）は外キャップの上面図、（ｃ）は内キャップの上面図である。
【図３】使用時の容器の斜視図である。
【図４】別実施形態のキャップの説明図で、（ａ）はキャップの断面正面図、（ｂ）は外キャップの上面図、（ｃ）は内キャップの上面図である。
【符号の説明】
Ａ            容器
Ｂ            キャップ
１            口部
２            肩部
３            胴部
４            底部
７            収納部
８            凹部
１６、１６ａ  環状板
１７、１７ａ  内筒
１８          突出部
１９ａ，ｂ    係合溝
２０          環状底壁
２４          連結部
２５、３０    差込みキー
２６          膨出環
２７ａ，ｂ    係合片
２８          保持孔
２９、２９ａ  差込み口
【図１】
0004326725.tif 000002
【図２】
0004326725.tif 000003
【図３】
0004326725.tif 000004
【図４】
0004326725.tif 000005